(57)【要約】【課題】簡易な構成で所望する水路の開口量を調整することができる水路用水門を提供する。【解決手段】水路８０の両側部に設けられた取付部８１，８２を介して配置され水路の水量を調整する水門１０であって、取付部８１，８２の溝部８３，８４に嵌挿される両側部の側枠部材２０，２０と、側枠部材２０，２０の溝部８３，８４への着脱のための把持部３１，３２を有する上枠部材３０と、上枠部材３０の下側に形成された水量調整窓部４０と、水量調整窓部４０の下側に形成された下部固定止水部５１とを有する板状本体部５０と、水量調整窓部４０の開口部４５両側に形成された摺動部４３に沿って上下動して当該水量調整窓部４０の開口部４５の開口量を調整する可動止水板６０と、可動止水板６０の移動位置を固定する固定部材７０とを有することを特徴とする。【選択図】図２
0003138720.tif 000002
【実用新案登録請求の範囲】
【請求項１】
水路の両側部に設けられた取付部を介して配置され水路の水量を調整する水門であって、
前記取付部の溝部に嵌挿される両側部の側枠部材と、前記側枠部材の溝部への着脱のための把持部を有する上枠部材と、前記上枠部材の下側に形成された水量調整窓部と、前記水量調整窓部の下側に形成された下部固定止水部とを有する板状本体部と、
前記水量調整窓部の開口部両側に形成された摺動部に沿って上下動して当該水量調整窓部の開口部の開口量を調整する可動止水板と、
前記可動止水板の移動位置を固定する固定部材
とを有することを特徴とする水路用水門。
【請求項２】
前記側枠部材と前記水量調整窓部との間に側部固定止水部が形成されている請求項１に記載の水路用水門。
【請求項３】
前記水量調整窓部の上下方向に複数の可動止水板が順次設けられているとともに、各々の可動止水板が開口部両側に形成された各々の摺動部に沿って上下動する請求項１又は２に記載の水路用水門。
【請求項４】
前記固定部材が前記可動止水板に設けられたピンであって、前記ピンを前記水量調整窓部の摺動部に形成された係止部に係着することによって前記可動止水板の移動位置を固定するようにした請求項１ないし３のいずれか１項に記載の水路用水門。
【考案の詳細な説明】
【技術分野】
【０００１】
本考案は、用水路等の水路の水量調整を行うための水門に関し、特に水路幅の狭い水路に配置される小型の水路用水門に関する。
【背景技術】
【０００２】
一般に、水田等へ水を供給する農業用水や大きな河川から幹線水路への水の引き込み等を行う用水路等では、水量の調整を行うための水路用水門が配置される。このような水路用水門では、特に、水路幅が狭い用水路等に配置する場合、簡易に設置できて水量の調整も容易に行うことができる小型の水門が用いられる。
【０００３】
このような小型の水路用水門としては、例えば、溝状の摺動部が形成された側枠部材と所定の高さに形成され前記摺動部に嵌挿される板状部材とからなり、水路の両側部に設けられた取付部の溝部に前記側枠部材を嵌挿させて、高さの異なる板状部材を適宜入れ替えたり、複数の板状部材を摺動部に沿って重ねて嵌挿させることによって水路の開口量を調整するように構成されたものが知られている。
【０００４】
しかしながら、上記水路用水門では、板状部材の高さによって水路の開口量を調整するものであるため、一の板状部材で所望する開口量の調整を行おうとすると高さの異なる板状部材を多数用意しなければならず、管理等が煩雑となる。また、複数の板状部材を重ねる場合は、各板状部材の高さの組合せによって開口量の調整が行われるが、各板状部材の組合せが少なければ開口量の調整が大雑把となって所望する開口量の調整が困難となり、より細かく開口量の調整を行おうとすれば各板状部材の組合せを多くするために多数の板状部材を用意する必要がある等の問題があった。
【考案の開示】
【考案が解決しようとする課題】
【０００５】
本考案は前記の点に鑑みなされたものであり、簡易な構成で所望する水路の開口量を調整することができる水路用水門を提供するものである。
【課題を解決するための手段】
【０００６】
すなわち、請求項１の考案は、水路の両側部に設けられた取付部を介して配置され水路の水量を調整する水門であって、前記取付部の溝部に嵌挿される両側部の側枠部材と、前記側枠部材の溝部への着脱のための把持部を有する上枠部材と、前記上枠部材の下側に形成された水量調整窓部と、前記水量調整窓部の下側に形成された下部固定止水部とを有する板状本体部と、前記水量調整窓部の開口部両側に形成された摺動部に沿って上下動して当該水量調整窓部の開口部の開口量を調整する可動止水板と、前記可動止水板の移動位置を固定する固定部材とを有することを特徴とする水路用水門に係る。
【０００７】
請求項２の考案は、前記側枠部材と前記水量調整窓部との間に側部固定止水部が形成されている請求項１に記載の水路用水門に係る。
【０００８】
請求項３の考案は、前記水量調整窓部の上下方向に複数の可動止水板が順次設けられているとともに、各々の可動止水板が開口部両側に形成された各々の摺動部に沿って上下動する請求項１又は２に記載の水路用水門に係る。
【０００９】
請求項４の考案は、前記固定部材が前記可動止水板に設けられたピンであって、前記ピンを前記水量調整窓部の摺動部に形成された係止部に係着することによって前記可動止水板の移動位置を固定するようにした請求項１ないし３のいずれか１項に記載の水路用水門に係る。
【考案の効果】
【００１０】
請求項１の考案に係る水路用水門は、水路の両側部に設けられた取付部を介して配置され水路の水量を調整する水門であって、前記取付部の溝部に嵌挿される両側部の側枠部材と、前記側枠部材の溝部への着脱のための把持部を有する上枠部材と、前記上枠部材の下側に形成された水量調整窓部と、前記水量調整窓部の下側に形成された下部固定止水部とを有する板状本体部と、前記水量調整窓部の開口部両側に形成された摺動部に沿って上下動して当該水量調整窓部の開口部の開口量を調整する可動止水板と、前記可動止水板の移動位置を固定する固定部材とを有するため、極めて簡易な構成で所望する開口量を調整することができる。
【００１１】
請求項２の考案は、請求項１において、前記側枠部材と前記水量調整窓部との間に側部固定止水部が形成されているため、下部固定止水部や可動止水板の大きさを変更することなく様々な水路幅に対応させて当該水路用水門を設置することができる。
【００１２】
請求項３の考案は、請求項１又は２において、前記水量調整窓部の上下方向に複数の可動止水板が順次設けられているとともに、各々の可動止水板が開口部両側に形成された各々の摺動部に沿って上下動するため、より適切に開口部の開口量を調整することができる。
【００１３】
請求項４の考案は、請求項１ないし３において、前記固定部材が前記可動止水板に設けられたピンであって、前記ピンを前記水量調整窓部の摺動部に形成された係止部に係着することによって前記可動止水板の移動位置を固定するようにしたため、極めて簡易な構成によって可動止水板を容易に固定することができる。
【考案を実施するための最良の形態】
【００１４】
以下添付の図面に従ってこの考案を詳細に説明する。
図１は本考案の一実施例に係る水路用水門の水路への取付け例を表した斜視図、図２は図１の水路用水門の斜視図、図３はピンからなる固定部材の斜視図、図４は図１の水路用水門の開口部を略全開させた状態を表す正面図、図５は図４の状態から可動止水板を摺動させて開口部の開口量を少なくした状態を表す正面図、図６は図５の状態から可動止水板を摺動させて開口部の開口量をさらに少なくした状態を表す正面図、図７は図１の水路用水門の開口部を閉鎖した状態を表す正面図、図８は図４の状態の水路用水門の断面図、図９は図５の状態の水路用水門の断面図、図１０は図６の状態の水路用水門の断面図、図１１は図７の状態の水路用水門の断面図である。
【００１５】
図１，２に示す本考案の一実施例に係る水路用水門１０は、水路８０の両側部に設けられた取付部８１，８２を介して配置され水路の水量を調整するためのものであって、側枠部材２０と、上枠部材３０と、水量調整窓部４０と、板状本体部５０と、可動止水板６０と、固定部材７０とを有する。図１において、符号８３は取付部８１に形成された溝部、８４は取付部８２に形成された溝部を表す。なお、実施例の水路用水門１０は、耐久性や軽量化の観点から、アルミ合金で形成される。
【００１６】
側枠部材２０は、取付部８１，８２の溝部８３，８４に嵌挿されるものであって、当該水路用水門１０の両側部に形成される。
【００１７】
上枠部材３０は、側枠部材２０の溝部８３，８４への着脱のための把持部３１，３２を有するものであり、両側部の各側枠部材２０の上端部分に架設される。
【００１８】
水量調整窓部４０は、上枠部材３０の下側に形成されたものであって、所定間隔を空けて配置された内枠部材４１，４１によって開口部４５が形成される。実施例の開口部４５は、上枠部材３０下側の略中心部分に配置されている。なお、図中の符号４２は各内枠部材４１，４１の内側面に対向して形成された取付溝、４３は各内枠部材４１，４１の内側面に対向して形成された摺動部である。
【００１９】
板状本体部５０は、水量調整窓部４０の下側に形成された下部固定止水部５１を有するものである。実施例では、板状に形成された下部固定止水部５１が内枠部材４１，４１の取付溝４２の下端部分に固設されている。また、この下部固定止水部５１は、水量調整窓部４０の開口部４５を十分に確保することができる大きさであればどのような大きさでも構わないが、この実施例では開口部４５をより大きく確保するために前記開口部４５よりも小さく形成されている。図において、符号５２は両側部の各側枠部材２０の下端部分に架設された下枠部材である。
【００２０】
可動止水板６０は、水量調整窓部４０の開口部４５の両側に形成された摺動部４３に沿って上下動して当該水量調整窓部４０の開口部４５の開口量を調整するものである。この可動止水板６０は、開口部４５を十分に閉鎖することができる適宜の大きさに形成される。
【００２１】
また、この水路用水門１０では、図２に図示しかつ請求項３の考案として規定したように、水量調整窓部４０の上下方向に複数（実施例では２枚）の可動止水板６１，６２が順次設けられているとともに、各々の可動止水板６１，６２が開口部４５両側に形成された各々の摺動部４３ａ，４３ｂに沿って上下動するように構成することが好ましい。実施例では、各可動止水板６１，６２の大きさが下部固定止水部５１より小さく形成され、かつ、各々の可動止水板６１，６２によって開口部４５を十分に閉鎖することができるように構成されている。なお、図８〜１１において、符号６３は可動止水板６１の下端部に前面側に突出するように設けられたストッパ部材、６４は可動止水板６２の上端部に裏面側に突出するように設けられたストッパ部材を表す。また、図２，４〜７において、符号６５は可動止水板６０（６１）を上下動させるための把持部である。
【００２２】
固定部材７０は、可動止水板６０の移動位置を固定するためのものである。この固定部材７０としては、可動止水板６０を所望する位置で固定することが可能であればどのような構成でも構わないが、特に、図３に図示しかつ請求項４の考案として規定したように、可動止水板６０（６１）に設けられたピン７１であって、前記ピン７１を水量調整窓部４０の摺動部４３ｂに形成された係止部４４に係着することによって前記可動止水板６０（６１）の移動位置を固定するように構成することが好ましい。実施例では、係止部４４が所定間隔で複数形成されており、前記複数の係止部４４の位置に応じて開口部４５の開口量を適宜調整可能に構成されている。なお、図３において、符号７２はピン７１を操作するための操作部、７３はピン７１を水平方向に移動可能とするための横溝部、７４はピン７１を係止部４４に係着した状態で固定するための固定溝部である。
【００２３】
上記固定部材７０によって可動止水板６０を固定する際には、まず、図３（ａ）に示すように、横溝部７３の後退位置側に位置するピン７１を横溝部７３に沿って係止部４４方向に摺動させ、次いで、図３（ｂ）に示すように、ピン７１を係止部４４に係着させた後、操作部７２を下方に回動させて固定溝部７４に係合させることによって行われる。また、可動止水板６０の固定を解除する際には、操作部７２を上方に回動させて固定溝部７４との係合を解除し、次いで、ピン７１を横溝部７３の後退位置側に後退させることによって係止部４４から引き抜いて行われる。このように、固定部材７０をピン７１とすることにより、極めて簡易な構成によって可動止水板６０を容易に固定することが可能となる。
【００２４】
また、本考案の水路用水門１０では、図２に図示しかつ請求項２の考案として規定したように、側枠部材２０と水量調整窓部４０との間に側部固定止水部２５を形成することが好ましい。この側部固定止水部２５は、横幅を適宜変更して設けることによって当該水路用水門１０の横幅を所望する長さに調整することを可能とするものであり、下部固定止水部５１や可動止水板６０の大きさを変更することなく様々な水路幅に対応させて当該水路用水門１０を設置することが可能となる。
【００２５】
次に、図４〜１１を用いて、本考案の水路用水門１０の使用例について説明する。図４及び図８に示すように、水路用水門１０の水量調整窓部４０の開口部４５を略全開にした状態では、可動止水板６１，６２がそれぞれ摺動部４３ａ，４３ｂの下端側にそれぞれ位置し、下部固定止水部５１の裏面側に収容可能に構成される。その際、各可動止水板６１，６２は、それぞれ自重によって摺動部４３ａ，４３ｂの下端側に配置されるが、固定部材７０を対応する係止部４４に係着させることによって、より確実に固定することができる。
【００２６】
続いて、図５及び図９に示すように、開口部４５の開口量を略全開から小さくした状態に調整する場合は、固定部材７０と係止部４４との係着を解除して可動止水板６１を上方に摺動させ、固定部材７０を対応する係止部４４に係着させて固定する。これにより、開口部４５の下側部分が可動止水板６１によって遮蔽される。
【００２７】
さらに、図６及び図１０に示すように、開口部４５をわずかに開口させた状態に調整する場合は、固定部材７０と係止部４４との係着を解除して可動止水板６１をさらに上方に摺動させるが、その際に可動止水板６１の下端部に設けられたストッパ部材６３と可動止水板６２の上端部に設けられたストッパ部材６４とが係合するため、可動止水板６２が可動止水板６１に連動して上方へ摺動される。そして、可動止水板６１を所定位置まで摺動させた後、固定部材７０を対応する係止部４４に係着させることで前記可動止水板６１が固定され、可動止水板６２は自重によってストッパ部材６４が可動止水板６１のストッパ部材６３に係合した状態で固定する。これにより、開口部４５の下側半分以上が可動止水板６１及び可動止水板６２の一部によって遮蔽される。
【００２８】
また、図７及び図１１に示すように、開口部を閉鎖する場合は、固定部材７０と係止部４４との係着を解除して可動止水板６１と可動止水板６２とを連動して上方へ摺動させ、固定部材７０を対応する係止部４４に係着させて固定する。これにより、開口部４５全体が可動止水板６１及び可動止水板６２によって遮蔽される。
【００２９】
このように、本考案の水路用水門１０にあっては、可動止水板６０を水量調整窓部４０の開口部４５両側に形成された摺動部４３に沿って上下動させ、固定部材７０によって可動止水板６０の移動位置を固定することによって開口部４５の開口量を調整するものであるから、極めて簡易な構成で所望する開口量を調整することが可能となり、特に、水路幅の狭い水路に配置される小型の水門において好適に用いることができる。
【００３０】
また、複数の可動止水板６１，６２を順次設けて、各々の可動止水板６１，６２を開口部４５両側に形成された各々の摺動部４３ａ，４３ｂに沿って上下動するように構成すれば、複数の可動止水板６１，６２によって開口部４５を閉鎖することが可能となるので、各々の可動止水板６１，６２を小さく形成することができる。特に、各可動止水板６１，６２を下部固定止水部５１の裏面側に収容可能な大きさとすれば、開口部４５の全開時に可動止水板６１，６２が妨げとならず、しかも、開口部４５を下部固定止水部５１より大きく形成しても各可動止水板６１，６２によって確実に閉鎖することができる。したがって、開口部４５の開口量を十分に確保して、より適切な調整を行うことが可能となる。
【００３１】
なお、本考案の水路用水門は、上記実施例で述べた構成に限るものではなく、考案の趣旨を逸脱しない範囲内において種々の変更を付加して実施することができる。
【図面の簡単な説明】
【００３２】
【図１】図１は本考案の一実施例に係る水路用水門の水路への取付け例を表した斜視図である。
【図２】図１の水路用水門の斜視図である。
【図３】ピンからなる固定部材の斜視図である。
【図４】図１の水路用水門の開口部を略全開させた状態を表す正面図である。
【図５】図４の状態から可動止水板を摺動させて開口部の開口量を少なくした状態を表す正面図である。
【図６】図５の状態から可動止水板を摺動させて開口部の開口量をさらに少なくした状態を表す正面図である。
【図７】図１の水路用水門の開口部を閉鎖した状態を表す正面図である。
【図８】図４の状態の水路用水門の断面図である。
【図９】図５の状態の水路用水門の断面図である。
【図１０】図６の状態の水路用水門の断面図である。
【図１１】図７の状態の水路用水門の断面図である。
【符号の説明】
【００３３】
１０  水路用水門
２０  側枠部材
３０  上枠部材
３１，３２  把持部
４０  水量調整窓部
４３  摺動部
４５  開口部
５０  板状本体部
５１  下部固定止水部
６０  可動止水板
７０  固定部材
【図１】
0003138720.tif 000003
【図２】
0003138720.tif 000004
【図３】
0003138720.tif 000005
【図４】
0003138720.tif 000006
【図５】
0003138720.tif 000007
【図６】
0003138720.tif 000008
【図７】
0003138720.tif 000009
【図８】
0003138720.tif 000010
【図９】
0003138720.tif 000011
【図１０】
0003138720.tif 000012
【図１１】
0003138720.tif 000013